(57)【要約】      （修正有）【課題】弾性を付与しなくてもロックが可能なファイル用キャップおよびこれを備えるファイルを提供する。【解決手段】ファイル用キャップは、一対の平板部材１１，１２から少なくとも構成される。ファイルの上蓋として機能する一方の平板部材１１の裏面側の中央には、円周方向に沿って係合突起１３が形成され、相対的に肉薄に形成された第１の係合部１３ａと肉厚に形成された第２の係合部１３ｂとを有する。下蓋として機能する他方の平板部材１２には、係合突起１３と対向する被係合突起１５が形成され、相対的に肉厚に形成された第１の被係合部１５ａと肉薄に形成された第２の被係合部１５ｂとを有する。係合突起１３の第１および第２の係合部１３ａ，１３ｂと、被係合突起の第１および第２の被係合部１５ａ，１５ｂとの凹凸構造により嵌まり合うことでファイルをロックする。【選択図】図５
0003194155.tif 000002
【実用新案登録請求の範囲】
【請求項１】
嵌合させることによりファイルを留める一対の平板部材から少なくとも構成されるファイル用キャップであって、
一方の前記平板部材における他方の前記平板部材と対向する側の平面の中央部には、円周方向に沿って係合突起が形成され、この係合突起は、相対的に肉薄に形成された第１の係合部と相対的に肉厚に形成された第２の係合部とを有し、
他方の前記平板部材における一方の前記平板部材と対向する側の平面の中央部には、円周方向に沿って前記係合突起と対向する被係合突起が形成され、この被係合突起は、相対的に肉厚に形成された第１の被係合部と相対的に肉薄に形成された第２の被係合部とを有し、
前記第１の係合部と前記第１の被係合部、および、前記第２の係合部と前記第２の被係合部が、それぞれ当接することにより一対の前記平板部材が嵌合することを特徴とするファイル用キャップ。
【請求項２】
一方の前記平板部材にはネジ山を備えた挿入孔が形成されており、この挿入孔の前記ネジ山に対応するネジ山が形成された鍵を有する請求項１に記載のファイル用キャップ。
【請求項３】
前記係合突起および前記被係合突起の少なくとも一方が間欠状に形成される請求項１または２に記載のファイル用キャップ。
【請求項４】
前記平板部材は楕円状に形成される請求項１から３のいずれかに記載のファイル用キャップ。
【請求項５】
請求項１から４のいずれかに記載のファイル用キャップを備えることを特徴とするファイル。
【考案の詳細な説明】
【技術分野】
【０００１】
本考案は、嵌合させることによりファイルを留める一対の平板部材から少なくとも構成されるファイル用キャップおよびこれを備えるファイルに関する。
【背景技術】
【０００２】
書類を収容するファイルにおいては、たとえば医療カルテ等の個人情報や秘密情報が含まれており、第三者に内容を知られることが好ましくない機密性の高い書類が、誤って飛び出さないように、キャップによって留められるようになっているものが知られている。
【０００３】
しかし、キャップの係合力が弱くては不意に外れるおそれが高いため、その係合力は強いことが望まれる。
【０００４】
そのため、ファイル側に、バネ等により弾性の付与されたロック装置を設けておき、これを専用の鍵により開閉可能としたファイルが提案されている（たとえば特許文献１参照）。
【先行技術文献】
【特許文献】
【０００５】
【特許文献１】特開２００７−８１２８号公報
【考案の開示】
【考案が解決しようとする課題】
【０００６】
しかしながら、ファイルに弾性を付与するには、バネ等の弾性部材を準備することで部材コストがかかるとともに、加工のための製造コストが嵩んでしまう問題があった。
【０００７】
また、このような弾性を付与することによりロックを行う装置では、バネ等の損傷により弾性が十分でなくなった場合にはファイルを閉じることができなくなる。
【０００８】
本考案の目的は、弾性を付与しなくてもロックが可能なファイル用キャップおよびこれを備えるファイルを提供することにある。
【課題を解決するための手段】
【０００９】
＜１＞  嵌合させることによりファイルを留める一対の平板部材から少なくとも構成されるファイル用キャップであって、一方の前記平板部材における他方の前記平板部材と対向する側の平面の中央部には、円周方向に沿って係合突起が形成され、この係合突起は、相対的に肉薄に形成された第１の係合部と相対的に肉厚に形成された第２の係合部とを有し、他方の前記平板部材における一方の前記平板部材と対向する側の平面の中央部には、円周方向に沿って前記係合突起と対向する被係合突起が形成され、この被係合突起は、相対的に肉厚に形成された第１の被係合部と相対的に肉薄に形成された第２の被係合部とを有し、前記第１の係合部と前記第１の被係合部、および、前記第２の係合部と前記第２の被係合部が、それぞれ当接することにより一対の前記平板部材が嵌合することを特徴とするファイル用キャップである。
【００１０】
＜２＞  一方の前記平板部材にはネジ山を備えた挿入孔が形成されており、この挿入孔の前記ネジ山に対応するネジ山が形成された鍵を有する＜１＞に記載のファイル用キャップに記載のファイル用キャップである。
【００１１】
＜３＞  前記係合突起および前記被係合突起の少なくとも一方が間欠状に形成される＜１＞または＜２＞に記載のファイル用キャップである。
【００１２】
＜４＞  前記平板部材は楕円状に形成される＜１＞から＜３＞のいずれかに記載のファイル用キャップである。
【００１３】
＜５＞  ＜１＞から＜４＞のいずれかに記載のファイル用キャップを備えることを特徴とするファイルである。
【考案の効果】
【００１４】
本考案のファイル用キャップは、一方の平板部材に形成される係合突起が相対的に肉薄に形成された第１の係合部と相対的に肉厚に形成された第２の係合部とを有し、他方の平板部材に係合突起に対応して形成される被係合突起が相対的に肉厚に形成された第１の被係合部と相対的に肉薄に形成された第２の被係合部とを有し、第１の係合部と前記第１の被係合部および前記第２の係合部と前記第２の被係合部とが、それぞれ当接することにより一対の前記平板部材が嵌合する。そのため、留めた際には、係合突起と被係合突起が強く係合してファイルをロックすることが可能となる。これにより、ファイル用キャップに弾性を付与しなくてもファイルをロックすることができる。
【００１５】
本考案のファイルは、本考案のファイル用キャップを備えるので、ファイル用キャップに弾性を付与しなくてもロックすることができる。
【図面の簡単な説明】
【００１６】
【図１】図１は、本考案のファイルの一例を示す平面図である。
【図２】図２（ａ）は、本考案のファイル用キャップの一方の平板部材の裏面図であり、図２（ｂ）はその正面図、図２（ｃ）はその側面図である。
【図３】図３（ａ）は、本考案のファイル用キャップの他方の平板部材の裏面図であり、図３（ｂ）はその正面図、図３（ｃ）はその側面図である。
【図４】図４（ａ）は本考案のファイル用キャップの有する鍵の正面図であり、図４（ｂ）はその側面図である。
【図５】図５は、本考案のファイル用キャップの作用を概略的に示す図である。
【考案を実施するための形態】
【００１７】
本考案の実施の形態を、図面を参照しながら詳細に説明する。なお、全図において同一機能を有するものは原則として同一の名称ないし符号を付すようにし、その繰り返しの説明は可能な限り省略するようにしている。
【００１８】
図１は本考案のファイルの一例を示す平面図であり、図２（ａ）は、本考案のファイル用キャップの一方の平板部材の裏面図、図２（ｂ）はその正面図、図２（ｃ）はその側面図、図３（ａ）は本考案のファイル用キャップの他方の平板部材の裏面図、図３（ｂ）はその正面図、図３（ｃ）はその側面図である。また、図４（ａ）は本考案のファイル用キャップの有する鍵の正面図、図４（ｂ）はその側面図、図５は本考案のファイル用キャップの作用を概略的に示す図である。
【００１９】
図１に示す本考案のファイル１は、たとえば医療カルテ等の持ち運びをすることがある書類に対応したタイプのものであり、概ね横長の矩形状をなしており、閉じた際に表側に位置して封止する折り畳み可能なオモテ表紙２と、その際に裏側に位置して内容物を収容するウラ表紙３とにより本体が形成されている。
【００２０】
このファイル１の例では、オモテ表紙２は、綴じ口となる折り畳み方向の先端側が、両側からテーパ状に形成されて先端が相対的に短辺となっている。表面の略中央域には、ファイルの内容物を差し替えてもその表示を変更できるようにした、ネームケース４が設けられている。また、ウラ表紙３は、スペースの調整をしながら多くの書類を収容可能とすべく、折り畳めるようにひだ状に形成された厚み部５を有している。なお、ファイルは、図１に示したファイル１の例に限らず、ネームケース４や厚み部５がなくてもよいし、持ち運び可能なタイプでなく表裏で対称形状をなす保管型のものであってもよい。
【００２１】
そして、オモテ表紙２の先端側に、本考案のファイル用キャップ（以下、「キャップ」という。）１０の上蓋を備えており、これを、図１では見えていないウラ表紙３側の下蓋と嵌め合わせることにより、ファイル１をロック状態で留められるようになっている。
【００２２】
キャップ１０は、図２および図３に示すように、平面視で楕円状に形成された一対の平板部材１１，１２から主に構成されている。一方の平板部材１１は、図１に示したファイル１のオモテ表紙２に取り付けられ、ファイル１を留めた際に上蓋となる部材である。図２（ａ）〜（ｃ）に示すように、この一方の平板部材１１は、裏面（他方の平板部材１２と対向する側の平面）の中央部に係合突起１３が形成されており、この面を、ファイル１を留める側として用い、図３に示す他方の平板部材１２と係合するようになっている。
【００２３】
係合突起１３は、平面視で円周方向に沿って、図示の例では連続的に形成されるとともに、図２（ｂ）に示すように、突出部分における先端側と基端側との間の中間部が肉薄に形成されている。本明細書では、この係合突起１３における相対的に肉薄に形成された部分を第１の係合部１３ａ、相対的に肉厚に形成された部分を第２の係合部１３ｂと称することとする。なお、図示の係合突起１３は、中間部が削られて第１の係合部１３ａが形成されている。
【００２４】
また、平板部材１１には、表面より貫通して、係合突起１３が形成される円周よりも小径であって、図示しないネジ山が設けられた貫通孔１４が形成されており、この貫通孔１４は、図２（ｂ）および（ｃ）に示すように、係合突起１３とともに裏面に突出している。
【００２５】
一方、他方の平板部材１２は、図１に示したファイル１のウラ表紙３に取り付けられ、ファイル１を留めた際に下蓋となる部材である。この平板部材１２には、図３（ａ）〜（ｃ）に示すように、裏面（一方の平板部材１１と対向する側の平面）の中央部に、一方の平板部材１１の係合突起１３に対応（対向）する被係合突起１５が、係合突起１３が沿う円周よりも大径となる円周方向に沿って、図示の例では間欠的に形成されている。
【００２６】
ここで、図示の係合突起１３と被係合突起１５では、係合突起１３が連続的に、被係合突起１５が間欠的に形成されているが、これは逆であってもよいし、双方を連続的または間欠的に形成してもよい。図示の例のように、係合突起１３と被係合突起１５のうち、相対的に大径をなす円周方向に沿って形成される被係合突起１５を間欠的に形成すると、被係合突起１５間の隙間ｃが、いわゆる力の逃げ場となる。これにより、強い力で係合しつつも、それを解除する際には隙間ｃによって力が分散されてスムーズに操作することができるので、好ましい。
【００２７】
被係合突起１５は、突出部分における先端側が基端側より肉厚に形成されている。本明細書では、この被係合突起１５における相対的に肉厚に形成された先端側の部分を第１の被係合部１５ａ、相対的に肉薄に形成された基端側の部分を第２の被係合部１５ｂと称することとする。
【００２８】
また、図２（ａ），（ｂ）および図３（ａ），（ｂ）に示すように、双方の平板部材１１，１２の平面には、係合部材１３や被係合部材１５の形成位置よりも外方に、それぞれ６か所の円形状に薄肉に形成された凹部１６ａ〜ｆおよび１７ａ〜ｆが設けられている。これらの凹部は、平板部材１１，１２のファイル１への取付時に、この部分に超音波を当てることによりファイル１へ超音波溶着するための部分である。平板部材１１，１２は、平面視で楕円状に形成されるため、表面積を広く採ることができ、これにより上述の凹部を設ける余地を有し、超音波によって容易にファイル１に取り付けることが可能となる。
【００２９】
平板部材１１，１２の材料としては、たとえばＡＢＳ樹脂等が挙げられるが、その他の特殊樹脂を用いてもよいし、一般的に使用可能な樹脂であれば特に制限はない。
【００３０】
さらに、キャップ１０は、図４に示すように、ファイル１を開けるための鍵２０を有している。鍵２０は、図２に示した一方の平板部材１１に挿入するための挿入部２１と、挿入部２１の挿入操作をするための操作部２２とから主に構成されている。
【００３１】
挿入部２１の先端は、若干小径の締め代２１ａとなっており、そこから基端までにネジ山２１ｂが形成されている。このネジ山２１ｂの径ｍは、図２（ａ）に示した一方の平板部材１１の貫通孔１４の径Ｌと等しくなるように形成されており、ネジ２１ｂと貫通孔１４に形成されたネジ山とが対応するようになっている。
【００３２】
操作部２２は、図示の例では、頭部が円弧状に形成されており、その頭部には紛失防止等の目的でストラップなどを挿入可能な挿通孔２３が形成されている。また、挿入部２１側となる基部には、この挿入部２１の一方の平板部材１１への挿入を容易にするための回転台２４が肉厚かつ幅広に形成されている。
【００３３】
キャップ１０は、このような構成により、図５に概略的に示すように、双方の平板部材１１，１２の裏面を重ね合わせた場合に、被係合突起１５の内周縁が、係合突起１３の外周縁に接する。そして、被係合部１５ａ，１５ｂのうち、相対的に肉厚に形成された第１の被係合部１５ａが、係合突起１３の係合部１３ａ，１３ｂのうち、肉薄に形成された第１の係合部１３ａと当接する。また、その際には同様にして、相対的に肉薄に形成された第２の被係合部１５ｂが、係合突起１３において相対的に肉厚に形成された先端側の第２の係合部１３ｂと当接する。これにより、ファイル１を閉じた際には、双方の平板部材１１，１２が嵌まり合い、強く係合する。ここで、平板部材１１，１２は、ファイル１に取り付けられて裏面からこじ開けることができないので、平板部材１１，１２の係合力によってファイル１をロック状態にする。
【００３４】
本考案のキャップ１０は、係合突起１３の第１および第２の係合部１３ａ，１３ｂと、被係合突起１５の第１および第２の被係合部１５ａ，１５ｂとの凹凸構造により嵌まり合うことでファイル１をロックするので、バネ部材等によりキャップに弾性を付与しなくてもファイル１のロックが可能となるのである。つまり、この凹凸構造がなければ、一対の平板部材１１，１２が嵌まり合ったとしても両者に弾性が付与されていなければ外れてしまい、ロックすることができないが、上述した凹凸構造によりロックを可能とし、キャップへの弾性の付与を不要としているのである。これにより、部材コストや製造コストの削減を図ることができる。また、バネ部材等の損傷によりファイル１を閉じられなくなるおそれも排除することができる。
【００３５】
そして、ファイル１を開く際には、鍵２０を、貫通孔１４に対して垂直となるように操作部２２により一方の平板部材１１上で位置合わせをし、挿入部２１の締め代２１ａを挿入する。つづいて、回転させてネジ山２１ｂを挿入すると、一方の平板部材１１の一端側が浮き上がる。これにより、他方の平板部材１２との嵌合状態が解除され、ファイル１を開けることができる。また、この際に、既に述べたように、相対的に大径の円周方向に沿って被係合突起１５が間欠的に形成されているので、挿入部２１の挿入がスムーズになる。
【００３６】
以上、本考案の実施の形態を詳細に説明したが、本考案のキャップおよびファイルは、上記実施の形態に限定されず、その範囲内で想定されるあらゆる技術的思想を含んでもよく、たとえば、係合部材と被係合部材は、一方の平板部材と他方の平板部材とで逆に設けてもよい。
【符号の説明】
【００３７】
１        ファイル
２        オモテ表紙
３        ウラ表紙
４        ネームケース
５        厚み部
１０        ファイル用キャップ
１１        一方の平板部材
１２        他方の平板部材
１３        係合突起
１３ａ      第１の係合部
１３ｂ      第２の係合部
１４        貫通孔
１５        被係合突起
１５ａ      第１の被係合部
１５ｂ      第２の被係合部
１６ａ〜ｆ  凹部
１７ａ〜ｆ  凹部
２０        鍵
２１        挿入部
２１ａ      締め代
２１ｂ      ネジ
２２        操作部
２３        挿通孔
２４        回転台
ｃ          隙間
Ｌ          貫通孔の径
ｍ          ネジ部の径
【図１】
0003194155.tif 000003
【図２】
0003194155.tif 000004
【図３】
0003194155.tif 000005
【図４】
0003194155.tif 000006
【図５】
0003194155.tif 000007